(57)【要約】【課題】止水ラインを連続させ、高い水密性能を確保することができる建具を提供する。【解決手段】建具１０は、障子２２の上枠２０ａに対する対向面の長手方向に沿って延在し、上枠２０ａと、障子２２の上枠２０ａに対する対向面との間の隙間を塞ぐ第１水密材２６と、第１水密材２６に対して見込み方向に位置ずれして設けられ、障子２２の縦枠２０ｃ，２０ｄに対する対向面の長手方向に沿って延在し、縦枠２０ｃ，２０ｄと、障子２２の縦枠２０ｃ，２０ｄに対する対向面との間の隙間を塞ぐ第２水密材４６と、第１水密材２６の端部と第２水密材４６の上端部との間の隙間５２を塞ぐ水密部品５４とを備える。【選択図】図５
2017227057.tif 000002
【特許請求の範囲】
【請求項１】
上枠と下枠と左右の縦枠を枠組みした開口枠に対して障子を開閉可能に支持した建具であって、
前記障子の前記上枠に対する対向面の長手方向に沿って延在し、前記上枠と、前記障子の前記上枠に対する対向面との間の隙間を塞ぐ第１水密材と、
前記第１水密材に対して見込み方向に位置ずれして設けられ、前記障子の前記縦枠に対する対向面の長手方向に沿って延在し、前記縦枠と、前記障子の前記縦枠に対する対向面との間の隙間を塞ぐ第２水密材と、
前記第１水密材の端部と前記第２水密材の上端部との間の隙間を塞ぐ水密部品と、
を備えることを特徴とする建具。
【請求項２】
請求項１記載の建具において、
前記上枠の室外側見付け面に対して、前記縦枠の室外側見付け面が見込み方向で室内側に位置ずれしていることを特徴とする建具。
【請求項３】
請求項２記載の建具において、
前記障子の縦框の室内側見付け面が前記縦枠によって覆われていることを特徴とする建具。
【請求項４】
請求項１〜３のいずれか１項に記載の建具において、
前記障子は、左右一対の縦框のうち一方の縦框を吊元側框とし、他方の縦框を戸先側框とすることで見込み方向に開閉可能とされ、
前記水密部品は、前記障子の前記上枠に対する対向面に摺接する下面側に、見込み方向に並んだ複数のヒレ部を有することを特徴とする建具。
【請求項５】
請求項４記載の建具において、
前記水密部品は、前記複数のヒレ部の四方を囲む側壁を有することを特徴とする建具。
【請求項６】
請求項４又は５記載の建具において、
前記水密部品は、前記上枠に対する回転を規制する位置決め部を介して該上枠に取付固定されることを特徴とする建具。
【請求項７】
請求項１〜６のいずれか１項に記載の建具において、
前記開口枠の周囲に嵌め殺し窓が設けられ、
前記嵌め殺し窓の室外側見付け面と、前記障子の室外側見付け面とを同一平面上に配置したことを特徴とする建具。
【発明の詳細な説明】
【技術分野】
【０００１】
本発明は、開口枠で障子を開閉可能に支持した建具に関する。
【背景技術】
【０００２】
開口枠に対して障子をピボットヒンジ等を介して開閉可能に支持した建具では、上枠と障子の上面との間に水平方向に延びたタイト材を設け、縦枠と障子の見込み面との間に鉛直方向に延びたタイト材を設けた構成が広く用いられている（例えば特許文献１参照）。
【０００３】
このような建具では、上枠に設けた水平方向のタイト材と、左右の縦框に設けた鉛直方向のタイト材とが互いに密着する。これにより、障子の周囲三方向に連続する止水ラインが構成され、高い水密性能が確保される。
【先行技術文献】
【特許文献】
【０００４】
【特許文献１】特開２０１２−５７４２３号公報
【発明の概要】
【発明が解決しようとする課題】
【０００５】
ところで、上記のような建具では、開閉扉となる障子の周囲に嵌め殺し窓を複数設け、建物の外壁の一部を構成することがある。この構成の場合には、建具の外観品質を確保するため、例えば周囲の嵌め殺し窓での縦枠の見付け寸法と障子を支持する縦枠の見付け寸法とを揃えたいという要望がある。
【０００６】
しかしながら、見付け寸法を抑制し易い嵌め殺し窓に対し、開閉構造を持った障子の見付け寸法を抑制することは難しい。そこで、例えば障子を支持する縦枠の見付け面を上枠の見付け面よりも室内側に位置ずれさせることで、障子の見付け寸法を抑制することが考えられる。
【０００７】
ところが、障子の縦枠を見込み方向に位置ずれさせると、上枠に設けた水平方向のタイト材と、左右の縦框に設けた鉛直方向のタイト材とが見込み方向に位置ずれし、連続した止水ラインを構成できなくなる懸念がある。また、このようなタイト材同士の位置ずれは、周囲の嵌め殺し窓の有無に拘わらず、例えば開口枠の上枠と障子の上部との間に障子の開閉用のアームやクローザー装置等を設置した場合にも同様に起こり得る。
【０００８】
本発明は、上記従来技術の課題を考慮してなされたものであり、止水ラインを連続させ、高い水密性能を確保することができる建具を提供することを目的とする。
【課題を解決するための手段】
【０００９】
本発明に係る建具は、上枠と下枠と左右の縦枠を枠組みした開口枠に対して障子を開閉可能に支持した建具であって、前記障子の前記上枠に対する対向面の長手方向に沿って延在し、前記上枠と、前記障子の前記上枠に対する対向面との間の隙間を塞ぐ第１水密材と、前記第１水密材に対して見込み方向に位置ずれして設けられ、前記障子の前記縦枠に対する対向面の長手方向に沿って延在し、前記縦枠と、前記障子の前記縦枠に対する対向面との間の隙間を塞ぐ第２水密材と、前記第１水密材の端部と前記第２水密材の上端部との間の隙間を塞ぐ水密部品とを備えることを特徴とする。
【００１０】
このような構成によれば、例えば開口枠と障子との間での見込み方向での位置関係や開口枠の上枠と縦枠との間での見込み方向での位置関係等により、第１水密材と第２水密材とが見込み方向に位置ずれして止水ラインが連続しない場合であっても、その隙間を水密部品によって補完することができる。その結果、障子の上左右の三方の止水ラインが連続し、高い水密性能を確保することができる。
【００１１】
本発明に係る建具において、前記上枠の室外側見付け面に対して、前記縦枠の室外側見付け面が見込み方向で室内側に位置ずれした構成であってもよい。これにより、縦枠が建具の室外側面に露出することを防止し、開口枠の見付け幅を低減した構成が得られ、高い外観品質が得られる。しかも、このように外観品質を高めることで位置ずれが生じた第１水密材と第２水密材との間の隙間を水密部品で塞ぐことで、高い水密性能も確保できる。
【００１２】
本発明に係る建具において、前記障子の縦框の室内側見付け面が前記縦枠によって覆われた構成であってもよい。これにより、当該建具を室内側から見た場合に縦框が縦枠によって隠され、高い外観品質が得られる。しかも、このように外観品質を高めることで位置ずれが生じた第１水密材と第２水密材との間の隙間を水密部品で塞ぐことで、高い水密性能も確保できる。
【００１３】
本発明に係る建具において、前記障子は、左右一対の縦框のうち一方の縦框を吊元側框とし、他方の縦框を戸先側框とすることで見込み方向に開閉可能とされ、前記水密部品は、前記障子の前記上枠に対する対向面に摺接する下面側に、見込み方向に並んだ複数のヒレ部を有する構成であってもよい。これにより、水密部品の下面が障子の前記上枠に対する対向面に摺接する際はヒレ部が摺接する。その結果、水密部品の障子に対する摺動抵抗を可及的に抑制しつつ、第１水密材と第２水密材との間の隙間から室内側への雨水等の浸入を防止できる。
【００１４】
本発明に係る建具において、前記水密部品は、前記複数のヒレ部の四方を囲む側壁を有する構成であってもよい。これにより、ヒレ部間の隙間からの雨水等の浸入も防止できる。
【００１５】
本発明に係る建具において、前記水密部品は、前記上枠に対する回転を規制する位置決め部を介して該上枠に取付固定された構成であってもよい。そうすると、障子の開閉時にその上枠に対する対向面に水密部品が摺接した場合であっても、水密部品が回転等の位置ずれを生じることを防止でき、水密性能の低下を回避できる。
【００１６】
本発明に係る建具において、前記開口枠の周囲に嵌め殺し窓が設けられ、前記嵌め殺し窓の室外側見付け面と、前記障子の室外側見付け面とを同一平面上に配置した構成であってもよい。これにより、室外側から見た場合に障子と嵌め殺し窓が面一に揃い、高い外観品質が得られる。しかも、このように外観品質を高めることで位置ずれが生じた第１水密材と第２水密材との間の隙間を水密部品で塞ぐことで、高い水密性能も確保できる。
【発明の効果】
【００１７】
本発明によれば、第１水密材と第２水密材とが見込み方向に位置ずれして止水ラインが連続しない場合であっても、その隙間を水密部品によって補完することができる。その結果、障子の上左右の三方の止水ラインが連続し、高い水密性能を確保することができる。
【図面の簡単な説明】
【００１８】
【図１】図１は、本発明の一実施形態に係る建具を室外側から見た姿図である。
【図２】図２は、図１に示す建具の縦断面図である。
【図３】図３は、図１に示す建具の横断面図である。
【図４】図４は、開閉扉の上部を拡大した斜視図である。
【図５】図５は、図４に示す開閉扉から一方の縦枠を省略した斜視図である。
【図６】図６は、開閉扉の上部を拡大した縦断面図である。
【図７】図７は、開閉扉の上部を拡大して室外側から見た状態を模式的に示した正面図である。
【図８】図８は、水密部品の構成を示す斜視図である。
【図９】図９は、図８とは別の角度から見た水密部品の構成を示す斜視図である。
【図１０】図１０は、図８及び図９とは別の角度から見た水密部品の構成を示す斜視図である。
【図１１】図１１は、両開き構造の開閉扉の上部を拡大して室外側から見た状態を模式的に示した正面図である。
【発明を実施するための形態】
【００１９】
以下、本発明に係る建具について好適な実施の形態を挙げ、添付の図面を参照しながら詳細に説明する。
【００２０】
図１は、本発明の一実施形態に係る建具１０を室外側から見た姿図である。図２は、図１に示す建具１０の縦断面図であり、図３は、図１に示す建具１０の横断面図である。
【００２１】
図１〜図３に示すように、建具１０は、建物の躯体開口部を仕切るように取り付けられる嵌め殺し窓１２及び開閉扉１４を備える。本実施形態では、嵌め殺し窓１２を上下左右に複数並列すると共に、その間に開閉可能な開閉扉１４を１枚設けた構成の建具１０を例示する。図１では開閉扉１４より上部にある嵌め殺し窓１２を省略している。建具１０は、嵌め殺し窓１２の設置数を適宜変更してもよく、嵌め殺し窓１２を持たずに開閉扉１４のみを設けた構成としてもよい。
【００２２】
各嵌め殺し窓１２は、建物の躯体開口部に固定される窓枠１６の内側に複層ガラス１８を嵌め殺した構成である。
【００２３】
窓枠１６は、上窓枠１６ａ、下窓枠１６ｂ及び左右の縦窓枠１６ｃ，１６ｄを四周枠組みすることで矩形の開口部を形成したものである。各窓枠１６ａ〜１６ｄは、例えばアルミニウム等の金属材料の押出形材である。各窓枠１６ａ〜１６ｄは、その内周側の見込み面に形成された開口溝にそれぞれ複層ガラス１８の上下左右の縁部を収容支持している。複層ガラス１８は、スペーサを介して一対のガラス板を互いに間隔を隔てて対面配置した２層構造である。複層ガラス１８は３層以上の構造であってもよい。
【００２４】
開閉扉１４は、建物の躯体開口部及び周囲の嵌め殺し窓１２の窓枠１６と固定された開口枠２０の内側に障子２２を開閉可能に取り付けた構造である。本実施形態では、開閉扉１４として障子２２を見込み方向で室外側に向かって開閉可能に支持した片開き構造の扉を例示する。開閉扉１４は、室内側に向かって開閉可能な構造でもよく、後述する両開き構造であってもよい。
【００２５】
開口枠２０は、上枠２０ａ、下枠２０ｂ及び左右の縦枠２０ｃ，２０ｄを四周枠組みすることで矩形の開口部を形成したものである。各枠２０ａ〜２０ｄは、例えばアルミニウム等の金属材料の押出形材である。
【００２６】
なお、本出願において、見込み方向とは建具１０の室内外方向（図中に矢印Ｚで示す方向）をいい、見込み面とは見込み方向に沿って延在する平面をいう。また、見付け方向とは見込み方向に直交する方向であり、上下方向に長尺な縦枠２０ｃ，２０ｄ等の場合はその長手方向である上下方向（図中に矢印Ｙで示す方向）をいい、左右方向に長尺な上枠２０ａ及び下枠２０ｂ等の場合はその長手方向である左右方向（図中に矢印Ｘで示す方向）をいう。さらに、見付け面とは見付け方向に沿った平面をいう。
【００２７】
上枠２０ａは、その内周側の見込み面に障子２２が配置される凹状の障子配置部２４を有する。障子配置部２４は、その室外側端部及び室外側端部に内方へと突出した突出片２４ａ，２４ｂが設けられている。室外側の突出片２４ａの下端面には、障子２２に向かって内方へと突出した第１水密材２６が装着されている。第１水密材２６は、障子２２の上面に沿って水平方向に延在する長尺なタイト材であり、ゴムやスポンジ等の弾性部材で形成され、障子２２で仕切った室内外間での気密性や水密性を確保するものである。室内側の突出片２４ｂは、その室外側見付け面が障子２２の戸当たりとなる。本実施形態の場合、上枠２０ａは、その上部の嵌め殺し窓１２の下窓枠１６ｂと兼用された無目材によって構成されている（図２参照）。
【００２８】
下枠２０ｂは、その内周側の見込み面に障子２２が配置される側面視略Ｌ字状の障子配置部２８を有する。障子配置部２８は、その室内側端部に障子２２の戸当たりとなる見付け面２８ａが設けられている。
【００２９】
縦枠２０ｃ，２０ｄは、それぞれその内周側の見込み面に障子２２が配置される平面視略Ｌ字状の障子配置部３０を有する。障子配置部３０は、その室内側端部に障子２２の戸当たりとなる見付け面３０ａが設けられている。
【００３０】
一方の縦枠２０ｃは、隣接する嵌め殺し窓１２の縦窓枠１６ｄと一体的に連結される。他方の縦枠２０ｄは、隣接する嵌め殺し窓１２の縦窓枠１６ｃと一体的に連結される。縦枠２０ｃ，２０ｄは、それぞれ嵌め殺し窓１２の縦窓枠１６ｄ，１６ｃと一体的に連結されることで方立３２を構成する。つまり本実施形態の場合、開口枠２０の縦枠２０ｃ，２０ｄは、その側部の嵌め殺し窓１２の縦窓枠１６ｄ，１６ｃと兼用された方立３２によって構成される。このため、図３に示すように、縦枠２０ｃ，２０ｄの室外側見付け面３２ａは方立３２の室内側見付け面でもあり、縦枠２０ｃ，２０ｄの室内側見付け面３２ｂは方立３２の室内側見付け面でもある。
【００３１】
障子２２は、上框３４ａ、下框３４ｂ及び左右の縦框３４ｃ，３４ｄを框組みすることで矩形の開口部を形成した框体３４と、框体３４の内側に配設された複層ガラス３６とを有する。各框３４ａ〜３４ｄは、例えばアルミニウム等の金属材料の押出形材である。
【００３２】
複層ガラス３６は、スペーサ３８を介して一対のガラス板３６ａ，３６ｂを互いに間隔を隔てて対面配置した２層構造である。複層ガラス３６は３層以上の構造であってもよい。
【００３３】
上框３４ａは、内周側の見込み面に複層ガラス３６の上縁部が配置される開口溝４０を有し、外周側の見込み面の室外側端部に上方へと突出した突出片４２を有する。開口溝４０は、複層ガラス３６の上縁部を収容支持する部分である。突出片４２は、上框３４ａの外周側の見込み面の室外側端部から上枠２０ａに対向するように突出し、上枠２０ａと上框３４ａとの間の隙間の室外側開口の一部を塞ぐように配置される。障子２２を閉じた状態で、突出片４２の上端面には上枠２０ａから垂下された第１水密材２６の先端面が摺接可能に密着する。
【００３４】
下框３４ｂ及び左右の縦框３４ｃ，３４ｄについても、開口溝４０及び突出片４２が設けられている。従って、障子２２の下縁部及び左右の側縁部がそれぞれ下框３４ｂ及び左右の縦框３４ｃ，３４ｄの開口溝４０に収容支持される。なお、縦框３４ｃ，３４ｄは、上框３４ａ及び下框３４ｂのように中空部を持たない構成とされている。
【００３５】
各縦框３４ｃ，３４ｄの開口溝４０側とは反対側（外周側）の見込み面４４には、対向する縦枠２０ｃ，２０ｄに向かって外方へと突出した第２水密材４６がそれぞれ装着されている。第２水密材４６は、障子２２の側面となる縦枠２０ｃ，２０ｄに対する対向面に沿って鉛直方向に延在する長尺なタイト材であり、ゴムやスポンジ等の弾性部材で形成され、障子２２で仕切った室内外間での気密性や水密性を確保するものである。第２水密材４６の先端面は、障子２２を閉じた状態で対向する縦枠２０ｃ，２０ｄの開口溝４０の底面に摺接可能に密着する。
【００３６】
このように構成された障子２２が開口枠２０の障子配置部２４，２８，３０に配置されると、上枠２０ａと上框３４ａとの間、及び下枠２０ｂと下框３４ｂとの間がピボットヒンジ４８によって連結される。上框３４ａ及び下框３４ｂの外周側の見込み面には、それぞれピボットヒンジ４８に連結されたアーム４８ａが設けられる。また上框３４ａには、障子２２を閉じるためのクローザー装置５０が取り付けられる。従って、障子２２は、ピボットヒンジ４８で軸支された一方の縦框３４ｃが吊元側框となり、他方の縦框３４ｄが戸先側框となって室外側に向かって開閉可能となる。
【００３７】
図４は、開閉扉１４の上部を拡大した斜視図であり、図５は、図４に示す開閉扉１４から一方の縦枠２０ｄを省略した斜視図である。図６は、開閉扉１４の上部を拡大した縦断面図であり、図７は、開閉扉１４の上部を拡大して室外側から見た状態を模式的に示した正面図である。
【００３８】
図２及び図３に示すように、本実施形態の建具１０では、嵌め殺し窓１２の室外側見付け面と、開閉扉１４の室外側見付け面とを同一平面上に配置している。
【００３９】
具体的には、図２に示すように、嵌め殺し窓１２の窓枠１６の室外側見付け面１６ｅと、開閉扉１４の上枠２０ａ及び下枠２０ｂの室外側見付け面２０ｅ，２０ｆと、障子２２の上框３４ａ及び下框３４ｂの室外側見付け面３４ｅ，３４ｆとが、同一平面上（又は略同一平面上）に配置されている（図４及び図５も参照）。このため、嵌め殺し窓１２の複層ガラス１８の室外側面と開閉扉１４の障子２２の複層ガラス３６の室外側面も同一平面上に配置される。さらに、図３に示すように、縦框３４ｃ，３４ｄの室外側見付け面３４ｇが窓枠１６の室外側見付け面１６ｅと同一平面上に配置される。そして、縦枠２０ｃ，２０ｄの見付け幅（左右方向幅）が窓枠１６の縦窓枠１６ｃ，１６ｄの見付け幅と略一致する（図１参照）。
【００４０】
このように、建具１０では、嵌め殺し窓１２と開閉扉１４の室外側面同士を揃えると同時に、縦枠２０ｃ，２０ｄと縦窓枠１６ｃ，１６ｄの縦方向の見付け幅を揃え、その外観品質を高めている。
【００４１】
ところが、建具１０ではこのような構成を実現するため、図２に示すように、開閉扉１４の上枠２０ａの室外側見付け面２０ｅに対して縦枠２０ｃ，２０ｄの室外側見付け面３２ａを見込み方向で室内側に位置ずれさせている。つまり縦枠２０ｃ，２０ｄの室外側見付け面３２ａを室内側にオフセットすることで、縦枠２０ｃ，２０ｄが建具１０の室外側面に露出することを防止し、開口枠２０と窓枠１６の縦方向の見付け幅を揃えている（図１及び図６も参照）。さらに、建具１０では、このように室内側にオフセットさせた縦枠２０ｃ，２０ｄによる障子２２の収容支持機能等を確保するため、縦框３４ｃ，３４ｄの室内側見付け面３４ｈを縦枠２０ｃ，２０ｄによって覆うように配置している。つまり室内側から見た場合、縦框３４ｃ，３４ｄが縦枠２０ｃ，２０ｄによって隠される隠し框構造となっている。
【００４２】
従って、建具１０では、図４〜図６に示すように、上枠２０ａと、障子２２の上面となる上枠２０ａに対する対向面（上框３４ａの突出片４２の上端面）との間を塞ぐ第１水密材２６と、縦枠２０ｃ，２０ｄと縦框３４ｃ，３４ｄとの間を塞ぐ第２水密材４６とが、見込み方向に位置ずれすることになる。その結果、第１水密材２６と第２水密材４６との間に隙間５２（図４及び図５参照）が形成されて止水ラインがずれるため、この部分での水密性能の確保が必要となる。
【００４３】
そこで、本実施形態の建具１０では、第１水密材２６と第２水密材４６との間の隙間５２を塞ぐ水密部品５４を設けている。
【００４４】
図８〜図１０は、水密部品５４の構成を示す斜視図である。図８及び図９では、水密部品５４と共に第１水密材２６及び第２水密材４６の一部を図示し、両者の位置関係を模式的に示している。
【００４５】
図４〜図７に示すように、水密部品５４は、上枠２０ａの長手方向両端部であって左右の縦枠２０ｃ，２０ｄの上端面と重なる位置にそれぞれ取り付けられる（図３も参照）。図８〜図１０に示すように、水密部品５４は、取付部５６と、ブリッジ部５８と、水密部６０とを有する。
【００４６】
水密部品５４は、取付部５６、ブリッジ部５８及び水密部６０をゴム材料や樹脂材料で一体的に成形した部品である。取付部５６、ブリッジ部５８及び水密部６０は別体に成形され、接着等で互いに接合された構成でもよい。
【００４７】
取付部５６は、水密部品５４を上枠２０ａに対して取り付けるための部分である。取付部５６は、水平方向に沿った薄板状に形成され、ブリッジ部５８の上端から内方（上枠２０ａの長手方向中央に向かう方向）に突出する位置に設けられている。取付部５６は、取付孔５６ａと、取付孔５６ａを見込み方向に跨ぐように設けられた一対の位置決め部５６ｂとを有する。取付孔５６ａは、取付部５６のブリッジ部５８から位置ずれした部分の中央に貫通形成されている。各位置決め部５６ｂは、取付部５６の上面から上方に突出した半円柱形状の突起である。
【００４８】
図６に示すように、取付孔５６ａは、取付部５６を上枠２０ａの障子配置部２４の底面の室外側寄りとなる位置に取付固定する際、段付きねじ６２のねじ部や軸部が挿通される部分である。各位置決め部５６ｂは、一方が上枠２０ａの障子配置部２４の底面に形成された位置決め孔２４ｃに嵌合され、他方が障子配置部２４の室外側端面に当接配置される。これにより、取付部５６は、取付孔５６ａを挿通した段付きねじ６２を介して上枠２０ａに締結固定されると共に、各位置決め部５６ｂが位置決め孔２４ｃ及び障子配置部２４の室外側端面に係止されることで回り止めされて位置決めされる。
【００４９】
ブリッジ部５８は、取付部５６と水密部６０との間を上下方向に連結する部分である。本実施形態の場合、ブリッジ部５８は、内方（上枠２０ａの長手方向中央に向かう方向）に矩形の開口を設け、外方（上枠２０ａの長手方向外側に向かう方向）は壁部となっている。
【００５０】
水密部６０は、ブリッジ部５８の下端から見込み方向両側に突出するように設けられ、第１水密材２６と第２水密材４６との間の隙間５２を塞ぐ部分である。水密部６０は、複数のヒレ部６０ａと、ヒレ部６０ａの四方を囲む側壁６０ｂ，６０ｃとを有する。
【００５１】
各ヒレ部６０ａは、少なくとも第２水密材４６の上端面の突出方向（図９中でＸ方向）に亘る幅寸法を有し、ある程度の柔軟性を持った薄板である。各ヒレ部６０ａは、両側の側壁６０ｃとの間にスリット状の隙間が形成されることで見込み方向の変形が許容されており、障子２２に対する密着性が確保されている。障子２２を閉じた状態では、いずれかのヒレ部６０ａが第２水密材４６の上端面と密着し、側壁６０ｂ，６０ｃと共に隙間５２を塞ぐ機能を果たす。ヒレ部６０ａを障子２２の開閉方向に沿う見込み方向に並べたことにより、障子２２の開口枠２０に対する取付誤差や製品誤差、閉じ位置等に拘わらず、ヒレ部６０ａと第２水密材４６とを確実に密着させることが可能となっている。本実施形態では、５枚のヒレ部６０ａを並列しているが、その設置枚数は適宜変更可能である。本実施形態では、中央のヒレ部６０ａを他のヒレ部６０ａ及び側壁６０ｂ，６０ｃよりも僅かに下方へと突出した長さとすることで、第２水密材４６に対する密着性を高めている。
【００５２】
各ヒレ部６０ａと平行する一対の側壁６０ｂは、ヒレ部６０ａと同様に機能する。これら一対の側壁６０ｂは、両側の側壁６０ｃとの間にスリット状の隙間が形成されることで見込み方向の変形が許容されており、障子２２に対する密着性が確保されている。また、ヒレ部６０ａ及び側壁６０ｂは、水密部品５４の下面側から上方に向かって雨水等が吹き上げた場合に、この雨水等を遮蔽する機能も有する（図５及び図７参照）。各ヒレ部６０ａ及び側壁６０ｂの並び方向に延びた一対の側壁６０ｃは、第１水密材２６と第２水密材４６との間の隙間５２の側方から入り込む雨水等を遮蔽するための部分である。
【００５３】
このような水密部品５４は、図６及び図７に示すように取付部５６を上枠２０ａの障子配置部２４の底面に対して取付固定した場合に、図８及び図９に示すように水密部６０が第１水密材２６と第２水密材４６との間の隙間５２を塞ぐように配置される（図５も参照）。
【００５４】
なお、図１１に示すように、開閉扉１４は、例えば障子２２を観音開きに設けた両開き構造であってもよい。この両開き構造の場合には、水密部品５４を２枚の障子２２，２２間の召合せ部分の上部に左右対称で設置すればよい。
【００５５】
この場合、本実施形態に係る建具１０は、障子２２の上面となる上枠２０ａに対する対向面（突出片４２）の長手方向に沿って延在し、上枠２０ａと、障子２２の上枠２０ａに対する対向面との間の隙間を塞ぐ第１水密材２６と、第１水密材２６に対して見込み方向に位置ずれして設けられ、障子２２の側面となる縦枠２０ｃ，２０ｄに対する対向面（縦框３４ｃ，３４ｄ）の長手方向に沿って延在し、縦枠２０ｃ，２０ｄと障子２２の縦枠２０ｃ，２０ｄに対する対向面との間の隙間を塞ぐ第２水密材４６と、第１水密材２６の端部と第２水密材４６の上端部との間の隙間５２を塞ぐ水密部品５４とを備える。
【００５６】
例えば、開口枠２０と障子２２との間での見込み方向での位置関係や開口枠２０の上枠２０ａと縦枠２０ｃ，２０ｄとの間での見込み方向での位置関係等によっては、障子２２の上部を塞ぐ第１水密材２６と障子２２の側部を塞ぐ第２水密材４６とが見込み方向に位置ずれし、止水ラインが連続しない場合がある。この点、当該建具１０では、このように位置ずれした第１水密材２６と第２水密材４６との間の隙間５２を塞ぐ水密部品５４を設けている。その結果、障子２２の上左右の三方の止水ラインが連続し、高い水密性能を確保することができる。
【００５７】
建具１０では、上枠２０ａの室外側見付け面２０ｅに対して、縦枠２０ｃ，２０ｄの室外側見付け面３２ａが見込み方向で室内側に位置ずれしている。これにより、縦枠２０ｃ，２０ｄが建具１０の室外側面に露出することを防止し、開口枠２０の見付け幅を低減した構成が得られ、高い外観品質が得られる。また、建具１０では、縦框３４ｃ，３４ｄの室内側見付け面３４ｈが縦枠２０ｃ，２０ｄによって覆われている。これにより、室内側から見た場合に縦框３４ｃ，３４ｄが縦枠２０ｃ，２０ｄによって隠され、高い外観品質が得られる。さらに、建具１０では、開口枠２０の周囲に嵌め殺し窓１２が設けられ、嵌め殺し窓１２の室外側見付け面１６ｅと、障子２２の室外側見付け面２０ｅ，２０ｆ，３４ｅ〜３４ｇとを同一平面上に配置している。これにより、室外側から見た場合に障子２２と嵌め殺し窓１２が面一に揃い、高い外観品質が得られる。そして、当該建具１０では、このように外観品質を高めることで位置ずれが生じた第１水密材２６と第２水密材４６との間の隙間５２を水密部品５４で塞ぐことで、高い水密性能も確保できる。
【００５８】
建具１０では、障子２２は一方の縦框３４ｃを吊元側框とし、他方の縦框３４ｄを戸先側框とすることで見込み方向に開閉可能とされ、水密部品５４は障子２２の上面となる縦框３４ｃ，３４ｄに摺接する下面側に、見込み方向に並んだ複数のヒレ部６０ａを有する。これにより、水密部品５４の下面が障子２２の上面となる縦框３４ｃ，３４ｄに摺接する際はヒレ部６０ａが摺接する。その結果、水密部品５４の障子２２に対する摺動抵抗を可及的に抑制しつつ、第１水密材２６と第２水密材４６との間の隙間５２から室内側への雨水等の浸入を防止できる。特に、障子２２は吊元側となる縦框３４ｃと戸先側となる縦框３４ｄとで開閉軌跡が異なるが、水密部品５４の下面をヒレ部６０ａによって構成することで障子２２の開閉軌跡に拘わらず摺動抵抗を低減でき、水密部品５４の汎用性が高まる。また、ヒレ部６０ａによって開閉する障子２２の上面に溜まった水を掃き落とすことができる。さらに、水密部品５４は、複数のヒレ部６０ａの四方を囲む側壁６０ｂ，６０ｃを有する。これにより、ヒレ部６０ａ間の隙間からの雨水等の浸入も防止できる。
【００５９】
なお、本発明は、上記した実施形態に限定されるものではなく、本発明の主旨を逸脱しない範囲で自由に変更できることは勿論である。
【符号の説明】
【００６０】
１０  建具、１２  嵌め殺し窓、１４  開閉扉、１６  窓枠、１６ｅ，２０ｅ，２０ｆ，３２ａ，３４ｅ〜３４ｇ  室外側見付け面、１８，３６  複層ガラス、２０  開口枠、２０ａ  上枠、２０ｂ  下枠、２０ｃ，２０ｄ  縦枠、２２  障子、２４，２８，３０  障子配置部、２４ａ，２４ｂ，４２  突出片、２６  第１水密材、３２  方立、３２ｂ，３４ｈ  室内側見付け面、３４  框体、３４ａ  上框、３４ｂ  下框、３４ｃ，３４ｄ  縦框、４０  開口溝、４６  第２水密材、５２  隙間、５４  水密部品、５６  取付部、５６ａ  取付孔、５６ｂ  位置決め部、５８  ブリッジ部、６０  水密部、６０ａ  ヒレ部、６０ｂ，６０ｃ  側壁
【図１】
2017227057.tif 000003
【図２】
2017227057.tif 000004
【図３】
2017227057.tif 000005
【図４】
2017227057.tif 000006
【図５】
2017227057.tif 000007
【図６】
2017227057.tif 000008
【図７】
2017227057.tif 000009
【図８】
2017227057.tif 000010
【図９】
2017227057.tif 000011
【図１０】
2017227057.tif 000012
【図１１】
2017227057.tif 000013